(57)【要約】【課題】入込部でも外壁の汚れを抑制することができる外壁防汚構造及び外壁防汚システムの制御方法を提供する。【解決手段】入込部１６の外壁２４において、当該外壁２４の内部には通気層３２が設けられている。この通気層３２は室内３４と連通しており、通気装置３８によって室内３４側の空気が当該通気層３２へ送られるようになっている。これにより、例えば、夏期において、外壁２４の表面２４Ａは当該冷風によって冷やされることになるが、このとき、外気が高温多湿の場合、外壁２４の表面２４Ａには結露４０が発生する。このように結露４０が発生した場合、当該結露４０は自重により外壁２４の下部へ向かって流れ落ちる。つまり、雨掛かりし難い入込部１６において、当該入込部１６の外壁２４に結露４０を発生させ、当該結露４０を利用して雨の代わりに流すようにすることで、外壁２４の表面２４Ａの汚れを落とすことができる。【選択図】図２
2013160004.tif 000002
【特許請求の範囲】
【請求項１】
建物外壁の一部に設けられた入込部と、
前記入込部を構成する外壁の内部に壁面に沿って設けられた通気層と、
前記入込部に隣接する室内側に設けられ、前記室内と前記通気層とを連通させる連通部を介して、室内側の空気を当該通気層へ送る通気装置と、
を有する外壁防汚構造。
【請求項２】
前記入込部を構成する天井部に設けられ、空気を送風する送風装置と、
前記天井部に設けられ、前記送風装置から送風された空気を前記外壁の表面へ案内する通風口と、
を有する請求項１に記載の外壁防汚構造。
【請求項３】
ミストを生成すると共に生成されたミストを前記送風装置の送風口へ供給するミスト発生装置が前記天井部に設けられている請求項２に記載の外壁防汚構造。
【請求項４】
前記天井部に設けられ、前記入込部の外壁側へ向かって洗浄水を流す流水板と、
前記天井部に設けられ、前記流水板を流れる洗浄水を前記外壁の表面へ案内する流出口と、
を有する請求項１〜３の何れか１項に記載の外壁防汚構造。
【請求項５】
前記流水板へ洗浄水を供給する洗浄水供給手段が前記天井部に設けられている請求項４に記載の外壁防汚構造。
【請求項６】
前記室内の温度を調整する空調装置に近接して前記通気装置が設けられている請求項１〜５の何れか１項に記載の外壁防汚構造。
【請求項７】
前記通気層は、前記入込部の外壁の内部における断熱層と最外層の外壁材との間に設けられている請求項１〜６の何れか１項に記載の外壁防汚構造。
【請求項８】
前記入込部の外壁の表面には親水性処理が施されている請求項１〜７の何れか１項に記載の外壁防汚構造。
【請求項９】
前記流水板には、前記建物外壁側から前記入込部の外壁側へ向かうにつれて鉛直方向下方へ向かって傾斜する傾斜面が設けられている請求項１〜８の何れか１項に記載の外壁防汚構造。
【請求項１０】
請求項１及び２に記載の外壁防汚構造に適用され、
前記室内の温度を調整する空調装置が作動すると、前記通気装置を作動させる制御装置が設けられている外壁防汚システムの制御方法。
【請求項１１】
請求項３に記載の外壁防汚構造を備え、
表面の汚れを検知する防汚センサが前記入込部の外壁に設けられ、
前記防汚センサによって検知された検出値が予め設定された第１設定値内において、前記送風装置を作動させて前記入込部の外壁へ空気を送風する第１段階と、
前記ミスト発生装置を作動させ、生成されたミストを前記送風装置の送風口へ供給すると共に、前記送風装置を作動させる第２段階と、
を有してこれらを段階的に行う請求項１０に記載の外壁防汚システムの制御方法。
【請求項１２】
請求項４及び５に記載の外壁防汚構造を備え、
前記第２段階における動作の後、前記防汚センサによって検知された検出値が予め設定された第２設定値内において、前記洗浄水供給手段を作動させて前記流動部材によって前記入込部の外壁へ向かって洗浄水を流すと共に、前記送風装置を作動させる第３段階を有する請求項１１に記載の外壁防汚システムの制御方法。
【発明の詳細な説明】
【技術分野】
【０００１】
本発明は、特に、建物の入込部における外壁防汚構造及び外壁防汚システムの制御方法に関する。
【背景技術】
【０００２】
建物の外壁は、大気中を浮遊する塵埃や自動車の排気ガスなどにより汚れてしまうため、定期的に清掃を行う必要がある。例えば、特許文献１に記載の発明では、建物の外壁にシリカ微粒子膜が塗布されて親水性が付与され、汚染物質と外壁との界面に雨滴が浸透することで、汚染物質を浮き上がらせるようにしている。そして、重力によって雨滴と共に外壁の表面から当該汚染物質が流れ落ちるようにして、外壁の汚染を抑制するというものである。
【先行技術文献】
【特許文献】
【０００３】
【特許文献１】特開２００７−１９７９１２号公報
【発明の概要】
【発明が解決しようとする課題】
【０００４】
しかしながら、いわゆる入込部においては、雨が掛からないようにするという構造上、雨滴を利用して外壁の汚れを落とすということは困難である。
【０００５】
本発明は上記事実を考慮し、入込部でも外壁の汚れを抑制することができる外壁防汚構造及び外壁防汚システムの制御方法を得ることが目的である。
【課題を解決するための手段】
【０００６】
上記目的を達成するために、請求項１に記載の発明に係る外壁防汚構造は、建物外壁の一部に設けられた入込部と、前記入込部を構成する外壁の内部に壁面に沿って設けられた通気層と、前記入込部に隣接する室内側に設けられ、前記室内と前記通気層とを連通させる連通部を介して、室内側の空気を当該通気層へ送る通気装置と、を有している。
【０００７】
請求項１に記載の発明に係る外壁防汚構造では、建物外壁から建物内側へ入り込む入込部を構成する外壁の内部には通気層が設けられている。一方、入込部に隣接する室内側には通気装置が設けられており、室内と通気層とを連通させる連通部を通じて、室内側の空気が当該通気層へ送られるようになっている。
【０００８】
これにより、通気層は室内の環境（温度・湿度）と略同一の環境となる。このため、例えば、梅雨時期など外気が高温多湿の場合、室内と外気との相対的な温度・湿度差により、外壁の表面には結露が発生する。このように結露が発生した場合、当該結露は自重により外壁の下部へ向かって流れ落ちる。
【０００９】
一般的に、建物は、降雨時において雨水が建物外壁を伝って流れることで、建物外壁の表面に付着した汚れを落とすというセルフクリーニング機能を有するが、建物外壁から建物内側へ入り込む入込部では、雨水が掛かり難くなるため、セルフクリーニング機能は発揮されない。
【００１０】
しかし、本発明によれば、雨掛かりし難い入込部において、当該入込部の外壁の表面に結露を発生させ、当該結露を利用して雨の代わりに流すようにすることで、外壁の表面の汚れを落とすことができる。これにより、当該入込部において、セルフクリーニング機能を得ることができる。
【００１１】
請求項２に記載の発明に係る外壁防汚構造は、請求項１に記載の外壁防汚構造において、前記入込部を構成する天井部に設けられ、空気を送風する送風装置と、前記天井部に設けられ、前記送風装置から送風された空気を前記外壁の表面へ案内する通風口と、を有している。
【００１２】
請求項２に記載の発明に係る外壁防汚構造では、入込部の天井部に送風装置及び通風口が設けられており、送風装置によって送風された空気が通風口を通じて、外壁の表面へ案内されるようになっている。これにより、入込部の外壁に黄砂などの埃が付着している場合に、当該埃を飛ばして外壁の表面をきれいにすることができる。
【００１３】
また、送風装置から送風された空気は、通風口を通じて外壁の表面へ案内される。このため、入込部の外壁の表面に結露が発生した場合、当該結露は送風装置によって外壁の表面側へ押し付けられながら当該外壁の下部へ向かって流される。したがって、自重によって結露が外壁の下部へ流れ落ちる場合よりも、外壁の表面をさらにきれいにすることができる。
【００１４】
請求項３に記載の発明に係る外壁防汚構造は、請求項２に記載の外壁防汚構造において、前記天井部に配置され、ミストを生成すると共に生成されたミストを前記送風装置の送風口へ供給するミスト発生装置が設けられている。
【００１５】
請求項３に記載の発明に係る外壁防汚構造では、入込部を構成する天井部にミスト発生装置が設けられている。このミスト発生装置によって生成されたミストは、送風装置の送風口へ供給される。これにより、送風装置の送風口から送風される空気にはミストが含まれることになり、この状態で入込部の外壁へ噴霧されるため、外壁の表面に結露を発生させることができる。
【００１６】
つまり、屋外及び室内の環境に関わらず、外壁の表面に結露を発生させることができる。そして、外壁の表面に発生した結露は、送風装置によって外壁の表面側に押し付けられながら外壁の下部へ向かって流されるため、外壁の表面をきれいにすることができる。
【００１７】
請求項４に記載の発明に係る外壁防汚構造は、請求項１〜３の何れか１項に記載の外壁防汚構造において、前記天井部に設けられ、前記入込部の外壁側へ向かって洗浄水を流す流水板と、前記天井部に設けられ、前記流水板を流れる洗浄水を前記外壁の表面へ案内する流出口と、を有している。
【００１８】
請求項４に記載の発明に係る外壁防汚構造では、天井部に流水板及び流出口が設けられており、当該流水板によって入込部の外壁へ向かって流された洗浄水は、流出口を通じて外壁の表面へ案内される。例えば、雨水が流水板を流れ入込部の外壁へ流れるようにすることで、ミスト発生装置などの装置が不要となり、安価に実施することができる。
【００１９】
請求項５に記載の発明に係る外壁防汚構造は、請求項４に記載の外壁防汚構造において、前記流水板へ洗浄水を供給する洗浄水供給手段が前記天井部に設けられている。
【００２０】
請求項５に記載の発明に係る外壁防汚構造では、流水板へ洗浄水を供給する洗浄水供給手段が天井部に設けられているため、雨水などによらず、必要に応じて流水板へ洗浄水を供給し当該流水板を通じて外壁の表面へ洗浄水を流すことができる。
【００２１】
請求項６に記載の発明に係る外壁防汚構造は、請求項１〜５の何れか１項に記載の外壁防汚構造において、前記室内の温度を調整する空調装置に近接して前記通気装置が設けられている。
【００２２】
請求項６に記載の発明に係る外壁防汚構造では、室内の温度を調整する空調装置に近接して通気装置が設けられているため、温度調整後の空気を直接通気装置によって外壁内部の通気層へ送ることができる。
【００２３】
請求項７に記載の発明に係る外壁防汚構造は、請求項１〜６の何れか１項に記載の外壁防汚構造において、前記通気層は、前記入込部の外壁内部における断熱層と最外層の外壁材との間に設けられている。
【００２４】
請求項７に記載の発明に係る外壁防汚構造では、入込部の外壁内部における断熱層と最外層の外壁材との間に通気層は設けられているため、外壁の表面に結露を発生させ易く、また外壁内部において、通気層と室内との間には断熱層が設けられているため、室内の環境は維持される。
【００２５】
請求項８に記載の発明に係る外壁防汚構造は、請求項１〜７の何れか１項に記載の外壁防汚構造において、前記入込部の外壁の表面には親水性処理が施されている。
【００２６】
請求項８に記載の発明に係る外壁防汚構造では、入込部の外壁の表面に親水性処理が施されているため、外壁の表面に煤塵などが付着し難く、また、外壁の汚れを水などによって容易に洗い流すことができる。
【００２７】
請求項９に記載の発明に係る外壁防汚構造は、請求項１〜８の何れか１項に記載の外壁防汚構造において、前記流水板には、前記建物外壁側から前記入込部の外壁側へ向かうにつれて鉛直方向下方へ向かって傾斜する傾斜面が設けられている。
【００２８】
請求項９に記載の発明に係る外壁防汚構造では、流水板には、建物外壁側から入込部の外壁側へ向かうにつれて鉛直方向下方へ向かって傾斜する傾斜面が設けられているため、流水板を流動する洗浄水は、当該傾斜面に沿って入込部の外壁側へ案内される。
【００２９】
請求項１０に記載の発明に係る外壁防汚システムの制御方法は、請求項１及び２に記載の外壁防汚構造に適用され、前記室内の温度を調整する空調装置が作動すると、前記通気装置を作動させる制御装置が設けられている。
【００３０】
請求項１０に記載の発明に係る外壁防汚システムの制御方法では、室内の温度を調整する空調装置が作動すると、制御装置によって通気装置が作動するように制御されているため、外気が高温多湿の場合、空調装置を作動させると、外壁の表面に結露を発生させ、当該外壁をきれいにすることができる。
【００３１】
請求項１１に記載の発明に係る外壁防汚システムの制御方法は、請求項１０に記載の外壁防汚システムの制御方法において、請求項３に記載の外壁防汚構造を備え、表面の汚れを検知する防汚センサが前記入込部の外壁に設けられ、前記防汚センサによって検知された検出値が予め設定された第１設定値内において、前記送風装置を作動させて前記入込部の外壁へ空気を送風する第１段階と、前記ミスト発生装置を作動させ、生成されたミストを前記送風装置の送風口へ供給すると共に、前記送風装置を作動させる第２段階と、を有してこれらを段階的に行う。
【００３２】
請求項１１に記載の発明に係る外壁防汚システムの制御方法では、表面の汚れを検知する防汚センサが入込部の外壁に設けられており、当該防汚センサによって検知された検出値が予め設定された第１設定値内において、第１段階では、送風装置を作動させ入込部の外壁へ空気を送風するように制御されている。これにより、入込部の外壁に黄砂などの埃が付着している場合に、当該埃を飛ばして外壁の表面をきれいにすることができる。
【００３３】
次に、第２段階では、ミスト発生装置を作動させ、生成されたミストを送風装置の送風口へ供給すると共に、当該送風装置を作動させるように制御されている。これにより、送風装置の送風口から送風される空気にはミストが含まれることになり、この状態で入込部の外壁へミストが噴霧されるため、外壁の表面に結露を発生させることができる。
【００３４】
つまり、屋外及び室内の環境に関わらず外壁の表面に結露を発生させることができる。そして、外壁の表面に発生した結露は、送風装置による送風によって外壁の表面側へ押し付けられながら外壁の下部へ向かって流れ落ち、外壁の表面をきれいにすることができる。
【００３５】
請求項１２に記載の発明に係る外壁防汚システムの制御方法は、請求項１１記載の外壁防汚システムの制御方法において、請求項４及び５に記載の外壁防汚構造をさらに備え、前記第２段階における動作の後、前記防汚センサによって検知された検出値が予め設定された第２設定値内において、前記洗浄水供給手段を作動させて前記流動部材によって前記入込部の外壁へ向かって洗浄水を流すと共に、前記送風装置を作動させる第３段階を有している。
【００３６】
請求項１２に記載の発明に係る外壁防汚システムの制御方法では、第２段階における動作の後、防汚センサによって検知された検出値が予め設定された第２設定値内において、第３段階では、洗浄水供給手段を作動させて流動部材によって入込部の外壁へ向かって洗浄水を流すと共に、送風装置を作動させるように制御されている。外壁の表面を流れる洗浄水の量がミストよりも多くなるため、当該外壁の表面の汚れを洗い流すことができる。
【発明の効果】
【００３７】
以上説明したように、請求項１に記載の発明に係る外壁防汚構造は、入込部でも外壁の汚れを抑制することができる、という優れた効果を有する。
【００３８】
請求項２に記載の発明に係る外壁防汚構造は、送風装置によって外壁の表面に付着した埃などを飛ばしてきれいにすることができる、という優れた効果を有する。
【００３９】
請求項３に記載の発明に係る外壁防汚構造は、屋外及び室内の環境に関わらず外壁の表面に結露を発生させ、当該結露を外壁の下部へ向かって流すことができる、という優れた効果を有する。
【００４０】
請求項４に記載の発明に係る外壁防汚構造は、雨水等の洗浄水を外壁の表面へ流すことができる、という優れた効果を有する。
【００４１】
請求項５に記載の発明に係る外壁防汚構造は、必要に応じて、流水板から外壁の表面へ洗浄水を流すことができる、という優れた効果を有する。
【００４２】
請求項６に記載の発明に係る外壁防汚構造は、空調装置によって設定された温度の空気がそのまま外壁内部の通気層へ案内されるため効率が良い、という優れた効果を有する。
【００４３】
請求項７に記載の発明に係る外壁防汚構造は、室内の環境を維持したまま、外壁の表面に結露を発生させることができる、という優れた効果を有する。
【００４４】
請求項８に記載の発明に係る外壁防汚構造は、外壁の汚れを抑制することができる、という優れた効果を有する。
【００４５】
請求項９に記載の発明に係る外壁防汚構造は、流水板を流動する洗浄水は留まることなく入込部の外壁側へ向かって流出される、という優れた効果を有する。
【００４６】
請求項１０に記載の発明に係る外壁防汚システムの制御方法は、空調装置と通気装置が連動して作動する、という優れた効果を有する。
【００４７】
請求項１１に記載の発明に係る外壁防汚システムの制御方法は、段階的に外壁の表面をきれいにすることができる、という優れた効果を有する。
【００４８】
請求項１２に記載の発明に係る外壁防汚システムの制御方法は、外壁の汚れがひどい場合に当該汚れを洗い流すのに必要な洗浄水の流量を確保することができる、という優れた効果を有する。
【図面の簡単な説明】
【００４９】
【図１】第１の実施形態に係る外壁防汚構造が適用された建物の玄関周りを拡大した斜視図である。
【図２】図１に示す２−２線に沿って切断された状態の断面図である。
【図３】第１の実施形態に係る外壁防汚構造が適用された建物の変形例を示す図２に対応する断面図である。
【図４】第２の実施形態に係る外壁防汚構造が適用された建物の玄関周りを拡大した斜視図である。
【図５】図４に示す５−５線に沿って切断された状態の断面図である。
【図６】第３の実施形態に係る外壁防汚構造が適用された建物を示す図５に対応する断面図である。
【図７】第４の実施形態に係る外壁防汚構造が適用された建物を示す図６に対応する図であり、図４に示す７−７線に沿って切断された状態の断面図である。
【図８】第４の実施形態に係る外壁防汚構造が適用された建物の変形例を示す図７に対応する断面図である。
【図９】第５の実施形態に係る外壁防汚構造が適用された建物を示す図５に対応する断面図である。
【図１０】第５の実施形態に係る外壁防汚システムの制御方法の構成を示すブロック図である。
【発明を実施するための形態】
【００５０】
以下、本発明に係る外壁防汚構造が適用された建物の一実施形態について説明する。
【００５１】
＜第１実施形態＞
（外壁防汚構造の構成）
【００５２】
図１には、本実施形態に係る外壁防汚構造が適用された建物１０の玄関周りを拡大した斜視図が示されている。この建物１０は一階部分１２と、一階部分１２の上に据付けられた二階部分１４と、二階部分１４の上に据付けられた屋根部分（図示省略）と、を含んで構成されている。
【００５３】
図１に示されるように、建物１０の一階部分１２の一部には、建物１０の居住スペース内へ入り込む入込部１６が設けられている。この入込部１６の奥壁（外壁２０）には、玄関ドア１８が設けられており、玄関ドア１８が設けられた外壁２０の両側には、当該外壁２０と略直交し互いに対面する外壁２２、２４がそれぞれ設けられている。つまり、ここでの入込部１６は三面の外壁２０、２２、２４によって構成されている。なお、二面の外壁で構成された入込部であっても良い。
【００５４】
また、図２には、図１に示す２−２線に沿って切断された状態の断面図が示されている。図２に示されるように、外壁２４において、屋外６０側に位置する最外層には外壁材２６が設けられており、当該外壁材２６の表面（外壁２４の表面２４Ａ）には、シリカ微粒子膜等の親水性処理が施されている。
【００５５】
室内３４は内壁材２８によって区画されており、内壁材２８と外壁２４の一部を構成する外壁材２６の間には、断熱材３０及び通気層３２が設けられており、断熱材３０は内壁材２８側に設けられ、通気層３２は外壁材２６側に設けられている。なお、外壁２０、２２も外壁２４と略同一の構成となっており、外壁２０、２２、２４に設けられた通気層３２は互いに連通されている。
【００５６】
内壁材２８にはエアコンなどの空調装置３６が配設されており、室内３４の温度を調整可能としている。また、内壁材２８及び断熱材３０には、空調装置３６の下方に位置して連通部として孔部２５が貫通している。この孔部２５によって室内３４と通気層３２とが連通されている。
【００５７】
そして、内壁材２８には当該孔部２５を塞ぐようにして、ファンなどの通気装置３８が設けられている。つまり、この通気装置３８は空調装置３６の近傍に設けられており、当該通気装置３８によって室内３４の空気が通気層３２内へ送られるようになっている。
【００５８】
（外壁防汚構造の作用・効果）
図１に示されるように、建物１０の入込部１６は、建物外壁１０Ａから居住スペース側へ入り込んでいるため、一般的に雨水が掛かり難くなっている。このため、降雨時において、雨水が建物外壁１０Ａを伝って流れることで当該建物外壁１０Ａの汚れを落とすというセルフクリーニング機能が十分に発揮されない。
【００５９】
しかし、本実施形態では、図２に示されるように、入込部１６の外壁２４（図１で示す外壁２０、２２も同じ）において、当該外壁２４の内部には通気層３２が設けられている。この通気層３２は室内３４と連通しており、通気装置３８によって室内３４側の空気が当該通気層３２へ送られるようになっている。
【００６０】
これにより、例えば、夏期において、室内３４で空調装置３６を作動させた場合、外壁２４に設けられた通気層３２には冷風が送られることになる。ここでは、空調装置３６の近傍に通気装置３８が設けられているため、空調装置３６によって温度調整された空気を直接通気装置３８によって外壁２４内部の通気層３２へ送ることができる。
【００６１】
つまり、空調装置３６によって設定された温度の空気が、そのまま外壁２４内部の通気層３２へ案内されるため効率が良い。そして、通気装置３８によって外壁２４内部の通気層３２へ冷風が送られると、外壁２４の表面２４Ａは当該冷風によって冷やされることになるが、このとき、外気が高温多湿の場合、外壁２４の表面２４Ａには結露４０が発生する。
【００６２】
このように結露４０が発生した場合、当該結露４０は自重により外壁２４の下部へ向かって流れ落ちる。つまり、雨掛かりし難い入込部１６において、当該入込部１６の外壁２４に結露４０を発生させ、当該結露４０を利用して雨の代わりに流すようにすることで、外壁２４の表面２４Ａの汚れを落とすことができる。これにより、当該入込部１６において、セルフクリーニング機能を得ることができる。
【００６３】
また、入込部１６の外壁２４に設けられた通気層３２は、当該外壁２４の内部における断熱層４２と最外層の外壁材２６との間に設けられている。このため、外壁２４の表面２４Ａに結露４０を発生させ易く、また外壁２４の内部において、通気層３２と室内３４との間には断熱層４２が設けられているので、室内３４の環境は維持される。つまり、室内３４の環境を維持したまま、外壁２４の表面２４Ａに結露４０を発生させることができる。
【００６４】
一方、少なくとも入込部１６の外壁２４の表面２４Ａには、親水性処理が施されている。このため、外壁２４の表面２４Ａに煤塵などが付着し難く、また、外壁２４の汚れを水などによって容易に洗い流すことができる。つまり、外壁２４の汚れを抑制することができる。
【００６５】
なお、本実施形態では、図２に示されるように、室内３４側に位置する内壁材２８に通気装置３８が設けられるようにしたが、室内３４と外壁２４内部の通気層３２とを連通させることができれば良いため、これに限るものではない。
【００６６】
例えば、図３に示されるように、天井パネル４４に通気装置３８を配設し、当該通気装置３８に連通部としてのダクト５０を接続させる。当該ダクト５０を天井部５２内に配設させ、このダクト５０が断熱材３０を貫通して、通気層３２と連通されるようにする。この場合、通気装置３８は室内３４側へ突出しないようにすることができるため、室内３４の美観を向上させると共に、室内空間を広げることができる。
【００６７】
また、図示はしないが、天井部５２にエアコンなどの空調装置を配設し、当該空調装置によって温度調整された空気がそのまま通気層３２内へ案内されるようにしても良い。
【００６８】
＜第２実施形態＞
第１実施形態の構成に加えて、以下の構成を追加しても良い。
【００６９】
図４に示されるように、入込部１６の天井部５２において、各外壁２０、２２、２４の境界側には、例えば矩形状の通風口５４、５６、５８が外壁２０、２２、２４と平行にそれぞれ形成されている。
【００７０】
また、天井部５２には、外壁２０、２２、２４と平行に送風装置６２、６４、６６がそれぞれ配設されており、当該送風装置６２、６４、６６の送風口６２Ａ、６４Ａ、６６Ａが通風口５４、５６、５８とそれぞれ接続されている。以下、各外壁２０、２２、２４側における構成は略同一であるため、これらを代表して外壁２４側について説明する。
【００７１】
図５には、図４に示す５−５線に沿って切断された状態の断面図が示されている。図５に示されるように、天井部５２には照明装置６８が設けられており、当該照明装置６８の上方には、給気口７０が形成されている。この給気口７０は照明装置６８によって覆われており、外部からは見えないようになっている。この給気口７０から外気が吸気され、送風装置６６によって送風口６６Ａ及び通風口５８を通じて、外壁２４の表面２４Ａへ空気が送風される。
【００７２】
このように、入込部１６の天井部５２に送風装置６６が配置され、入込部１６の外壁２４へ空気を送風するようにすることで、当該外壁２４の表面２４Ａに付着している黄砂などの埃を飛ばして、外壁２４の表面２４Ａをきれいにすることができる。
【００７３】
そして、本実施形態では、入込部１６の外壁２４の表面２４Ａに結露４０が発生した場合に、送風装置６６を作動させると、当該結露４０は送風装置６６によって外壁２４の表面２４Ａ側へ押し付けられながら当該外壁２４の下部へ向かって流される。したがって、自重によって結露４０が外壁２４の下部へ流れ落ちる場合と比較して、外壁２４の表面２４Ａをさらにきれいにすることができる。
【００７４】
なお、ここでは、各外壁２０、２２、２４に対応して送風装置６２、６４、６６を設けることで、送風装置６２、６４、６６を個々に作動させ、各外壁２０、２２、２４における送風が可能となっている。しかし、入込部１６を構成する外壁２０、２２、２４に対して送風可能となっていれば良いため、これに限るものではない。
【００７５】
例えば、図示はしないが、１本のダクトの一端側を３つに分岐させて通風口５４、５６、５８にそれぞれ接続させ、当該ダクトの他端部を１台の送風装置の送風口に接続させるようにしても良いのは勿論のことである。これによると、１台の送風装置を作動させると、各外壁２０、２２、２４へ一度に空気が送風されることになる。
【００７６】
＜第３実施形態＞
第２実施形態の構成に加えて、以下の構成を追加しても良い。
【００７７】
図６に示されるように、入込部１６の天井部５２にミスト発生装置７２を設けても良い。なお、図６は図５に対応する断面図である。このミスト発生装置７２はダクト７４によって送風装置６６の送風口６６Ａ側に接続されるようにする。これにより、ミスト発生装置７２によって生成されたミストがダクト７４を通じて送風装置６６の送風口６６Ａ側へ供給される。なお、送風装置６２、６４においても送風装置６６と同様である。
【００７８】
したがって、送風装置６６の送風口６６Ａから送風される空気は、ミストが含まれた状態となり、当該送風口６６Ａを通じて入込部１６の外壁２４へ噴霧される。これにより、外壁２４の表面２４Ａに結露４１を発生させることができる。つまり、屋外６０及び室内３４の環境に関わらず、外壁２４の表面２４Ａに結露４１を発生させることができる。
【００７９】
＜第４実施形態＞
第２実施形態の構成に加えて、以下の構成を追加しても良い。
【００８０】
図６に示すミスト発生装置７２に代えて、図７に示されるように、天井部５２に、金属や樹脂などの耐水性のある材料で形成された略矩形状の流水板７６を設け、当該流水板７６によって入込部１６の外壁２０へ雨水や水道水や洗浄剤などの洗浄水を流すようにしても良い。なお、図７は図４で示す７−７線に沿って切断された状態の断面図である。
【００８１】
ここでは、天井部５２に配設された送風装置６２の上方に天井面５２Ａと対向するようにして流水板７６を設ける。この流水板７６の前面側（建物外壁１０Ａ側）の周縁部には、リブ７６Ａが立設しており、リブ７６Ａの先端部と建物外壁１０Ａとの間には隙間Ｈが設けられている。
【００８２】
この隙間Ｈが流入口７７となって、当該流入口７７を通じて、流水板７６の内部へ雨滴（雨水）７８が流入可能とされる。また、天井部５２には通風口５４の外壁２０側に、流出口８０が設けられている。流水板７６の側端部及び後端部（各外壁２０、２２、２４側）には、鉛直方向下方へ向かって屈曲する案内路７６Ｂが形成されており、流出口８０と接続されている。
【００８３】
流水板７６は、建物外壁１０Ａ側から入込部１６の外壁２０側へ向かうにつれて鉛直方向下方へ向かって傾斜する傾斜面７６Ｃが設けられている。これにより、流水板７６を流動する雨水７８は、当該傾斜面７６Ｃに沿って入込部１６の外壁２０側へ案内され、案内路７６Ｂを通じて流出口８０へ案内される。なお、外壁２２、２４においても外壁２０と同様である。
【００８４】
そして、当該流出口８０を通じて雨水７８が外壁２０の表面２０Ａへ流出される。流水板７６には傾斜面７６Ｃが設けられているため、流水板７６を流動する雨水７８は留まることなく入込部１６の外壁２０側へ向かって流出される。
【００８５】
このように、雨水７８が流水板７６を流れて、入込部１６の外壁２０の表面２０Ａへ流れるようにすることで、ミスト発生装置７２（図６参照）などの装置が不要となり、安価に実施することができる。
【００８６】
なお、ここでは、流水板７６へ雨水７８が流れ込むようにしたが、流水板７６によって洗浄水を流すことができれば良いため、これに限るものではない。例えば、図示はしないが、洗浄水供給手段として天井部５２に水道管を配設し、水道水が当該流水板７６内へ供給されるようにしても良い。また、図８に示されるように、天井部５２に雨水などの水を溜めるための貯水タンク８２を設け、ポンプ８４を通じて貯水タンク８２内の水を流水板７６へ供給するようにしても良い。
【００８７】
このように、天候に関係なく流水板７６へ水を供給できるようにすることで、必要に応じて流水板７６へ水を供給し、当該流水板７６から外壁２４の表面２４Ａへ水を流すことができる。
【００８８】
＜第５実施形態＞
第４実施形態の構成に加えて、以下の構成を追加しても良い。
【００８９】
図９に示されるように、ここでは、外壁２４に防汚センサ８６が取り付けられている。この防汚センサ８６によって、照明装置６８としてＬＥＤが用いられ、当該ＬＥＤによって発光された光の透光率が検知される。
【００９０】
ここで、防汚センサ８６は、図１０に示されるように、制御装置８８と電気的に接続されており、当該制御装置８８には送風装置６６、ミスト発生装置７２及びポンプ８４が電気的に接続されている。ポンプ８４には貯水タンク８２が接続されており、当該ポンプ８４を作動させると、貯水タンク８２内の水（雨水でも良い）が流水板７６（図８参照）へ供給されるようになっている。
【００９１】
そして、防汚センサ８６によって検知された透光率が、予め設定された設定値以下の場合（第１設定値内において）、制御装置８８によって、送風装置６６（図６参照）を作動させ、入込部１６の外壁２４へ空気を送風する（第１段階）。これにより、入込部１６の外壁２４に黄砂などの埃が付着している場合に、当該埃を飛ばして外壁２４の表面２４Ａをきれいにすることができる。
【００９２】
次に、制御装置８８によって、ミスト発生装置７２（図６参照）を作動させ、生成されたミストを送風装置６６の送風口６６Ａへ供給すると共に、送風装置６６を作動させる（第２段階）。これにより、屋外６０及び室内３４の環境に関わらず外壁２４の表面２４Ａに結露４１を発生させることができる。そして、外壁２４の表面２４Ａに発生した結露４１は、送風装置６６による送風によって外壁２４の表面２４Ａ側へ押し付けられながら外壁２４の下部へ向かって流れ落ち、外壁２４の表面２４Ａをきれいにすることができる。
【００９３】
次に、再度、防汚センサ８６によって透光率が検知される。防汚センサ８６によって検知された透光率が、予め設定された設定値以下の場合（第２設定値内において）、制御装置８８によってポンプ８４が作動し、貯水タンク８２内の水が流水板７６（図８参照）へ供給され、入込部１６の外壁２４へ向かって水を流すようにすると共に、送風装置６６を作動させる（第３段階）。
【００９４】
これにより、外壁２４の表面２４Ａを流れる水の量がミストよりも多くなるため、当該外壁２４の表面２４Ａの汚れを洗い流すことができる。つまり、本実施形態によれば、外壁２４の汚れがひどい場合に当該汚れを洗い流すのに必要な水の量を確保することができる。
【００９５】
なお、ここでは、防汚センサ８６において、ＬＥＤによって発光された光の透光率を検知して外壁２４の表面２４Ａの汚れ具合をチェックするようにしているが、外壁２４の表面２４Ａの汚れ具合が検知可能であれば良いため、これに限るものではない。
【００９６】
以上、本発明を実施するための一形態として一実施例を用いて説明したが、本発明はこうした一実施例に何ら限定されるものではなく、本発明の要旨を逸脱しない範囲内において、上述した一実施例に種々の変形及び置換を加えることができる。
【符号の説明】
【００９７】
１０      建物
１０Ａ    建物外壁
１６      入込部
２０      外壁
２２      外壁
２４      外壁
２５      孔部（連通部）
２６      外壁材
３２      通気層
３４      室内
３６      空調装置
３８      通気装置
４２      断熱層
５０      ダクト（連通部）
５２      天井部
５４      通風口
５６      通風口
５８      通風口
６２      送風装置
６２Ａ    送風口
６４      送風装置
６４Ａ    送風口
６６      送風装置
６６Ａ    送風口
７２      ミスト発生装置
７６Ｃ    傾斜面
７６      流水板
８０      流出口
８２      貯水タンク（洗浄水供給手段）
８４      ポンプ（洗浄水供給手段）
８６      防汚センサ
８８      制御装置
【図１】
2013160004.tif 000003
【図２】
2013160004.tif 000004
【図３】
2013160004.tif 000005
【図４】
2013160004.tif 000006
【図５】
2013160004.tif 000007
【図６】
2013160004.tif 000008
【図７】
2013160004.tif 000009
【図８】
2013160004.tif 000010
【図９】
2013160004.tif 000011
【図１０】
2013160004.tif 000012